(57)【要約】【課題】出隅部と張出壁部とを組み合わせて構成され、中空構造の外壁材が用いられる建物外壁において、適正な止水性能を付与する。【解決手段】腰壁部は、一対のバルコニー外壁材２１Ａ，２１Ｂと、その一対のバルコニー外壁材２１Ａ，２１Ｂの間に設けられる腰壁フレーム２３とを有している。一対のバルコニー外壁材２１Ａ，２１Ｂの上には、出隅部を構成する出隅外壁材２２が配置される。出隅外壁材２２の下端部に沿って形成される横目地部分には、出隅外壁材２２の背面から延びるようにして止水役物４５〜４７が設けられている。第３止水役物４７は、出隅部の出隅頂部から２つの壁面に沿って延びる方向と同じ２方向に延びる止水板部を有し、そのうち一方の面側の止水板部は、バルコニー外壁材２１Ａの中空部内に挿し入れられる挿し入れ部４７ｃを有し、他方の面側の止水板部は、腰壁フレーム２３の上板部に当接するプレート当たり部４７ｄを有している。【選択図】      図９
2015094158.tif 000002
【特許請求の範囲】
【請求項１】
建物外壁の出隅部の下方において、その出隅部を形成する２面の外壁面のうち一方の外壁面から張り出し、かつ他方の外壁面に同一平面で連続する外壁面を有する張出壁部を備える建物に適用され、
前記張出壁部は、互いに離間して設けられる一対の張出外壁材と、その一対の張出外壁材の間に設けられるフレーム部材とを有し、
前記一対の張出外壁材の上に、前記出隅部を構成する出隅外壁材が配置され、
前記各外壁材は、上下方向に延びる中空部が形成された中空構造を有するものであり、
前記出隅外壁材の下端部に沿って形成される横目地部分に、前記出隅外壁材の背面から延びるようにして出隅止水部材が設けられており、
前記出隅止水部材は、前記出隅部の出隅頂部から２つの壁面に沿って延びる方向と同じ２方向に延びる止水板部を有し、そのうち一方の面側の止水板部は、前記張出外壁材の中空部内に挿し入れられる挿し入れ部を有し、他方の面側の止水板部は、前記フレーム部材の上板部に当接する当接部を有していることを特徴とする建物の壁構造。
【請求項２】
前記張出壁部は、前記フレーム部材の上板部として、前記一対の張出外壁材の上方においてその上端部又はその付近を互いに連結させる連結プレートを有しており、
前記連結プレートの上面に前記当接部が当接するものとなっていることを特徴とする請求項１に記載の建物の壁構造。
【請求項３】
前記出隅止水部材において、前記挿し入れ部は鉛直方向に延びる鉛直板部、前記当接部は水平方向に延びる水平板部であり、前記鉛直板部は、前記水平板部の下側まで延び、その水平板部に一体に連続して形成されていることを特徴とする請求項１又は２に記載の建物の壁構造。
【請求項４】
前記出隅外壁材の下端部に形成される横目地部分には、前記出隅止水部材以外に、前記出隅止水部材における前記止水部材の２方向の面に対してそれぞれ面一となる別の止水部材が設けられていることを特徴とする請求項１乃至３のいずれか１項に記載の建物の壁構造。
【請求項５】
前記出隅止水部材とそれに隣接する前記別の止水部材とには、それら両止水部材に跨るようにして、防水性を有するジョイントシートが貼り付けられていることを特徴とする請求項４に記載の建物の壁構造。
【請求項６】
前記張出壁部は、前記出隅部から延びる腰壁部であり、前記一対の張出外壁材のうち一方が壁外側の張出外壁材、他方が壁内側の張出外壁材であり、
前記壁外側の張出外壁材においては、その中空部に前記出隅止水部材の挿し入れ部が挿し入れられ、前記壁内側の張出外壁材においては、前記別の止水部材が、その一部が外壁面に沿って折り曲げられて設けられていることを特徴とする請求項４又は５に記載の建物の壁構造。
【請求項７】
前記張出壁部において、前記一対の張出外壁材及び前記フレーム部材を上方から覆うようにして防水シートが設けられていることを特徴とする請求項１乃至６のいずれか１項に記載の建物の壁構造。
【請求項８】
前記張出壁部は、バルコニー又はパラペットの腰壁部であることを特徴とする請求項１乃至７のいずれか１項に記載の建物の壁構造。
【発明の詳細な説明】
【技術分野】
【０００１】
本発明は、建物の壁構造に関するものである。
【背景技術】
【０００２】
建物において、外壁に略直交して設けられる壁体上部の接合部分の止水を行う技術が特許文献１として知られている。その止水構造においては、板状をなす３つの止水片（第１〜第３止水片）を組み合わせてなる止水プレートを２つ用いて、突出壁の上部の上端面及び両側面と、これら上端面及び両側面に隣り合う外壁の外壁面との接合部分を覆うようにしている。
【０００３】
上記の止水構造では、突出壁が、外壁に対して略直交して取り付けられたバルコニーや出窓の側壁等である場合に、突出壁の上部と外壁との接合部分に止水プレートを取り付けるだけで、その接合部分の止水処理を容易に実施できるものとしていた。
【先行技術文献】
【特許文献】
【０００４】
【特許文献１】特開２００３−９６９３６号公報
【発明の概要】
【発明が解決しようとする課題】
【０００５】
ところで、突出壁（張出壁部とも言える）の構造としては、一対の外壁材とその間に設けられる壁フレームとにより構成されるものがある。この場合、突出壁の内部に雨水等が浸入することを想定すると、その雨水等の処理について考慮が必要であると考えられる。つまり、一対の外壁材及びフレーム部材からなる突出壁では、一対の外壁材の間においてフレーム部材を伝って雨水等が垂れ落ちることが考えられ、その雨水等の処理が必要となる。
【０００６】
また一方で、建物の外壁として中空構造の外壁材を用いる技術が実用化されており、中空構造の外壁材を用いる場合には、その中空部を雨水等の流下経路（壁内に雨水等が浸入した場合の排出経路）として用いることがあると考えられる。この場合、壁内部の中空部を雨水等の流下経路として用いることを併せ考えると、突出壁の内部に雨水等が浸入した場合における止水の構造について技術改善の余地があると考えられる。
【０００７】
本発明は、上記事情に鑑みてなされたものであり、出隅部と張出壁部とを組み合わせて構成され、中空構造の外壁材が用いられる建物外壁において、適正な止水性能を付与することができる建物の壁構造を提供することを主たる目的とするものである。
【課題を解決するための手段】
【０００８】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００９】
第１の発明は、
建物外壁の出隅部（１５）の下方において、その出隅部を形成する２面の外壁面のうち一方の外壁面から張り出し、かつ他方の外壁面に同一平面で連続する外壁面を有する張出壁部（１２Ａ）を備える建物に適用され、
前記張出壁部は、互いに離間して設けられる一対の張出外壁材（２１Ａ，２１Ｂ）と、その一対の張出外壁材の間に設けられるフレーム部材（２３）とを有し、
前記一対の張出外壁材の上に、前記出隅部を構成する出隅外壁材（２２）が配置され、
前記各外壁材は、上下方向に延びる中空部（３１ａ）が形成された中空構造を有するものであり、
前記出隅外壁材の下端部に沿って形成される横目地部分に、前記出隅外壁材の背面から延びるようにして出隅止水部材（４７）が設けられており、
前記出隅止水部材は、前記出隅部の出隅頂部から２つの壁面に沿って延びる方向と同じ２方向に延びる止水板部を有し、そのうち一方の面側の止水板部は、前記張出外壁材の中空部内に挿し入れられる挿し入れ部（４７ｃ）を有し、他方の面側の止水板部は、前記フレーム部材の上板部に当接する当接部（４７ｄ）を有していることを特徴とする。
【００１０】
上記構成の建物では、建物外壁の出隅部の下方に張出壁部が設けられ、出隅外壁材の下端部に形成される横目地部分に出隅止水部材が設けられている。そして、その出隅止水部材は、出隅外壁材の背面から延びるようにして設けられ、かつ出隅外壁材の２つの壁面と同方向に延びる止水板部を有しており、そのうち一方の面側に設けられた挿し入れ部が張出外壁材の中空部内に挿し入れられるとともに、他方の面側に設けられた当接部がフレーム部材の上板部に当接するものとなっている。この場合、仮に出隅外壁材の中空部を通じて雨水等が流下してきても、出隅止水部材の挿し入れ部により、雨水等が外壁材の背面側に流れ出ることを抑制できる。またこれに加えて、出隅止水部材の当接部がフレーム部材の上板部に当接していることにより、フレーム部材の上方からの壁内部への雨水等の浸入を抑制できる。その結果、出隅部と張出壁部とを組み合わせて構成され、中空構造の外壁材が用いられる建物外壁において、適正な止水性能を付与することができる。
【００１１】
第２の発明は、前記張出壁部は、前記フレーム部材の上板部として、前記一対の張出外壁材の上方においてその上端部又はその付近を互いに連結させる連結プレート（３３）を有しており、前記連結プレートの上面に前記当接部が当接するものとなっていることを特徴とする。
【００１２】
張出壁部として互いに離間して設けられる一対の張出外壁材を有する構成では、その構造上、一対の張出外壁材を上方で連結プレートにより連結させる（頭繋ぎをする）ことが望ましい。かかる構成において、連結プレートは一対の張出外壁材を跨ぐようにして設けられるため、フレーム部材における止水を行う上で、連結プレートの上面に出隅止水部材の当接部を当接させることは好適であると言える。
【００１３】
第３の発明は、前記出隅止水部材において、前記挿し入れ部は鉛直方向に延びる鉛直板部、前記当接部は水平方向に延びる水平板部であり、前記鉛直板部は、前記水平板部の下側まで延び、その水平板部に一体に連続して形成されていることを特徴とする。
【００１４】
出隅止水部材において、挿し入れ部としての鉛直板部を、当接部としての水平板部の下側まで延ばし、その水平板部に一体に連続して形成した。換言すれば、挿し入れ部としての鉛直板部と当接部としての水平板部とを、張出外壁材の中空部に沿う位置において折れ曲がった状態で一体に形成した。これにより、出隅外壁材の下側における止水を出隅頂部で途切れさせることなく実施できる。
【００１５】
第４の発明は、前記出隅外壁材の下端部に形成される横目地部分には、前記出隅止水部材以外に、前記出隅止水部材における前記止水部材の２方向の面に対してそれぞれ面一となる別の止水部材（４５，４６）が設けられていることを特徴とする。
【００１６】
張出壁部は大きさの変更が適宜行われることが想定され、その変更が行われると、出隅外壁材の下端部に形成される横目地部分の長さが変更される。例えば、張出壁部の壁厚さが変更される場合には、フレーム部材の幅が変更されることで、横目地部分の長さが変更される。かかる場合において、上記のとおり、出隅外壁材の下端部に形成される横目地部分に、出隅止水部材とそれ以外の別の止水部材とを互いに分割して取り付ける構成にすれば、仮に張出壁部の大きさが変更されたとしても、各止水部材のうち別の止水部材（出隅止水部材以外の止水部材）について長さ変更をすれば対処でき、その対応が容易となる。つまり、出隅止水部材は、出隅形状に対応させることで形状が複雑化されるが、この出隅止水部材と別の止水部材とを組み合わせて用いることで、出隅止水部材として１種類のものを用意しておけばよいことになり、コスト低減等の効果が得られるものとなる。
【００１７】
第５の発明は、前記出隅止水部材とそれに隣接する前記別の止水部材とには、それら両止水部材に跨るようにして、防水性を有するジョイントシート（５１，５２）が貼り付けられていることを特徴とする。
【００１８】
ジョイントシートを用いる構成にすれば、各止水部材が互いに分割されて設けられる構成において、各止水部材の境界部の止水を好適に実施できる。
【００１９】
第６の発明は、前記張出壁部は、前記出隅部から延びる腰壁部（１２Ａ）であり、前記一対の張出外壁材のうち一方が壁外側の張出外壁材（２１Ａ）、他方が壁内側の張出外壁材（２１Ｂ）であり、前記壁外側の張出外壁材においては、その中空部に前記出隅止水部材の挿し入れ部が挿し入れられ、前記壁内側の張出外壁材においては、前記別の止水部材が、その一部が外壁面に沿って折り曲げられて設けられていることを特徴とする。
【００２０】
張出壁部としての腰壁部がバルコニーやパラペットに設けられる場合、一対の張出外壁材は一方が壁外側、他方が壁内側となる。この場合、バルコニーやパラペットの内側となる部位には一般に排水口が設けられており、壁内部に入り込んだ雨水等が壁内側の張出外壁材の側に流れる場合、その外壁面に沿って折り曲げられた別の止水部材を伝って、壁内側の壁面（壁表面）に沿って流下する。これにより、バルコニーやパラペットに設けられた排水口を利用して雨水等の排出を好適に実施できる。
【００２１】
第７の発明は、前記張出壁部において、前記一対の張出外壁材及び前記フレーム部材を上方から覆うようにして防水シート（５３）が設けられていることを特徴とする。
【００２２】
一対の張出外壁材及びフレーム部材を上方から覆うようにして防水シートが設けられることで、張出壁部としての止水性能を高めることができる。
【００２３】
第８の発明のように、前記張出壁部は、バルコニー又はパラペットの腰壁部であるとよい。この場合、バルコニーやパラペットに適正なる止水性能を付加できる。
【図面の簡単な説明】
【００２４】
【図１】建物の外観を示す斜視図。
【図２】腰壁部及び出隅部における外壁材の配置を示す平面図。
【図３】腰壁部の内部構造を示す縦断面図。
【図４】バルコニー外壁材の構成を示す斜視図。
【図５】腰壁部と出隅部との繋ぎ部分に止水構造を付与する前の前提構造を示す斜視図。
【図６】止水役物を取り付けた状態を示す斜視図。
【図７】止水役物を取り付けた状態を示す斜視図。
【図８】各止水役物の構成を示す斜視図。
【図９】バルコニー外壁材の上に出隅外壁材を取り付ける前の状態を示す斜視図。
【図１０】バルコニー外壁材の上に出隅外壁材を取り付けた状態を示す斜視図。
【図１１】図１０のＡ−Ａ線断面図。
【発明を実施するための形態】
【００２５】
以下、本発明を具体化した一実施形態を図面に基づいて説明する。本実施形態では、鉄骨軸組工法により構築される多層階建て建物において、その外壁部の構造について詳しく説明する。
【００２６】
図１は、建物１０の外観を示す斜視図である。建物１０では、二階部分に二階外壁から張り出すようにしてバルコニー１１が設けられており、そのバルコニー１１は、腰壁部１２とその上端部に設けられた手摺部１３とを有している。また、建物１０において、バルコニー１１が面する二階外壁部は出隅部１５を有しており、バルコニー１１を囲む三方の腰壁部１２Ａ，１２Ｂ，１２Ｃのうち腰壁部１２Ａが出隅部１５の下方に設けられている。つまり、腰壁部１２Ａは、出隅部１５の下側においてその出隅部１５を形成する２つの外壁面のうち一方の外壁面から張り出し、かつ他方の外壁面に同一平面で連続する外壁面を有するものとなっており、この腰壁部１２Ａが張出壁部に相当する。この場合、腰壁部１２Ａを構成するバルコニー外壁材２１の上に、出隅部１５を構成する出隅外壁材２２が配置されるものとなっている。なお本実施形態では、出隅部１５から直交方向に延びる２つの外壁面のうち、腰壁部１２Ａの張出方向（長手方向）に延びる面を「第１外壁面Ｘ１」とし、腰壁部１２Ａの基端部においてその腰壁部１２Ａの張出方向（長手方向）に直交する方向に延びる面を「第２外壁面Ｘ２」とする。
【００２７】
次に、腰壁部１２Ａ及び出隅部１５の構造について説明する。まずは、腰壁部１２Ａ及び出隅部１５における外壁材２１，２２の配置を図２により説明する。図２では腰壁部１２Ａ及び出隅部１５を平面視した略図を示している。なお説明の便宜上、図２では、バルコニー外壁材２１をハッチングを付して示している。
【００２８】
腰壁部１２Ａは、互いに平行となる一対のバルコニー外壁材２１を有しており、そのバルコニー外壁材２１の間に腰壁フレーム２３が設けられている。一対のバルコニー外壁材２１は腰壁フレーム２３に対して固定されている。以下、各バルコニー外壁材２１を区別すべく、バルコニー外側となる方を「バルコニー外壁材２１Ａ」、バルコニー内側となる方を「バルコニー外壁材２１Ｂ」とも言うこととする。なお、バルコニー外壁材２１Ａ，２１Ｂが張出外壁材に相当する。
【００２９】
また、出隅部１５の出隅外壁材２２は、直角となる２つの外壁面が形成されるように設けられるものである。出隅外壁材２２は、各バルコニー外壁材２１Ａ，２１Ｂにおいて腰壁部１２Ａの基端側の端部となる部位の上方に配置されている。その他に、出隅外壁材２２に横並びとなる位置には、出隅外壁材２２の２つの外壁面と同じ方向に外壁材２４が設けられている。こうした各外壁材２１，２２，２４の配置により、互いに直交する第１外壁面Ｘ１及び第２外壁面Ｘ２が形成されている。各外壁材２１，２２，２４は、いずれもコンクリート押出成形材からなる外壁材であり、その厚さ方向の中間部には上下方向に延びる中空部３１ａが形成されている（図４参照）。
【００３０】
次に、腰壁部１２Ａの構成を図３を用いて説明する。図３は、腰壁部１２Ａの内部構造を示す縦断面図である。
【００３１】
腰壁部１２Ａにおいて、腰壁フレーム２３は二階の床梁２５に固定されており、腰壁部１２Ａの厚み方向において腰壁フレーム２３を挟んで両側にバルコニー外壁材２１Ａ，２１Ｂが固定されている。つまり、腰壁フレーム２３には、バルコニー外壁材２１Ａ用の壁支持部材２６が上下各所に溶接等により固定されるとともに、バルコニー外壁材２１Ｂ用の壁支持部材２７が上下各所に溶接等により固定されており、その壁支持部材２６，２７によりバルコニー外壁材２１Ａ，２１Ｂが支持されている。その支持構造については周知であるため詳細な説明は割愛するが、略述すると、壁支持部材２６，２７はＬ形のアングル材よりなり、鉛直部をバルコニー外壁材２１の背面側、水平部をバルコニー外壁材２１の上面又は下面側に配置させ、その状態で壁支持部材２６，２７の鉛直部とバルコニー外壁材２１とを、取付金具２８及び固定具２９を用いて互いに固定させるようにしている。
【００３２】
ここで、図４に示すように、バルコニー外壁材２１は、上下方向に延びる中空部３１ａが形成された中空構造を有するものであり、その中空部３１ａを挟んで外壁面側が外側壁肉部３１ｂ、背面側が内側壁肉部３１ｃとなっている。外側壁肉部３１ｂの表面は、上下、左右方向に凹凸（彫り）が付された凹凸部となっている。取付金具２８によるバルコニー外壁材２１の取り付けは、中空部３１ａを用いて行われるようになっている。
【００３３】
中空部３１ａは、外側壁肉部３１ｂと内側壁肉部３１ｃとを繋ぐ中間繋ぎ部３１ｄで分断される複数の空間部により構成されている。そして、バルコニー外壁材２１の上端部において各中間繋ぎ部３１ｄには、所定深さの切り込み溝３１ｅが直線状に並ぶようにしてそれぞれ形成されている。
【００３４】
また、バルコニー外壁材２１Ａ，２１Ｂ及び腰壁フレーム２３の上方においては、上側の壁支持部材２６，２７に固定された状態で繋ぎプレート３３が取り付けられている。繋ぎプレート３３は、例えば鋼鉄製の平板よりなり、両バルコニー外壁材２１Ａ，２１Ｂの上方に跨る位置で、腰壁部１２Ａの長手方向に延びるようにして設けられている。繋ぎプレート３３は、バルコニー外壁材２１Ａ，２１Ｂの背面間の距離よりも幅寸法が大きいものであって、両バルコニー外壁材２１Ａ，２１Ｂの上端部又はその付近を互いに連結させるものである。繋ぎプレート３３の上方には笠木部材３４が取り付けられている。図示は省略しているが、笠木部材３４の上面にはその上方に延びるようにして手摺部１３が取り付けられている（図１参照）。その他、バルコニー内側のバルコニー外壁材２１Ｂの下方には壁下部材３５が取り付けられている。
【００３５】
また、バルコニー１１の床部の構成としては、例えば軽量気泡コンクリート（ＡＬＣ）よりなる床パネル３７が設けられ、その上には勾配断熱材３８や防水シートが取り付けられている。
【００３６】
次に、腰壁部１２Ａと出隅部１５との繋ぎ部分における止水構造について詳しく説明する。ここでは、図５〜図１１を用いて、施工手順を示しながら止水構造を説明する。
【００３７】
図５は、腰壁部１２Ａと出隅部１５との繋ぎ部分に止水構造を付与する前の前提構造を示す斜視図である。図５では、腰壁部１２Ａにおいて、腰壁フレーム２３に対して一対のバルコニー外壁材２１Ａ，２１Ｂが固定され、さらにバルコニー外壁材２１Ａ，２１Ｂの上方に繋ぎプレート３３が取り付けられている。また、バルコニー外壁材２１Ａ，２１Ｂの上方には、出隅外壁材２２を支持するための出隅支持部材４１が取り付けられている。この出隅支持部材４１は、鋼板よりなるベース部４２と立ち上がり部４３とを有し、図示しない建物躯体（柱や梁等）に対して固定されている。ベース部４２は、水平方向に延びるように設けられ、出隅外壁材２２の下面側となる部位である。立ち上がり部４３は、鉛直方向に延びるように設けられ、出隅外壁材２２の背面側となる部位である。立ち上がり部４３は、２つの外壁面Ｘ１，Ｘ２（図２参照）と同じ方向にそれぞれ延びる第１面４３ａと第２面４３ｂとを有している。
【００３８】
そして、図６、図７に示すように、出隅支持部材４１に対して、出隅外壁材２２の下端部に沿って形成される横目地部分を止水するための止水部材が取り付けられる。本実施形態では、止水部材として、３つに分割した止水役物４５，４６，４７を用いることとしており、これら各止水役物４５〜４７が出隅支持部材４１に個別に取り付けられる。止水役物４５〜４７のうち、第１止水役物４５は、出隅支持部材４１において立ち上がり部４３の第１面４３ａに取り付けられるものであり、第２止水役物４６は、立ち上がり部４３の第２面４３ｂに取り付けられるものであり、第３止水役物４７は、立ち上がり部４３の第１面４３ａ及び第２面４３ｂの両方に取り付けられるものである。これら各止水役物４５〜４７は例えば比較的薄肉の金属板、又は樹脂板にて構成されている。なお、第１止水役物４５及び第２止水役物４６が「別の止水部材」に相当し、第３止水役物４７が「出隅止水部材」に相当する。
【００３９】
これら各止水役物４５〜４７の構成を図８に個別に示す。図８（ａ）に示すように、第１止水役物４５は、出隅支持部材４１の立ち上がり部４３の第１面４３ａに当接される鉛直当たり部４５ａと、ベース部４２に当接される水平当たり部４５ｂと、バルコニー外壁材２１Ａの中空部３１ａ（切り込み溝３１ｅを含む）に挿し入れられる挿し入れ部４５ｃと、バルコニー外壁材２１Ａの横隣りとなる外壁材２４の端面に対向するように設けられる対向部４５ｄとを有している。
【００４０】
また、図８（ｂ）に示すように、第２止水役物４６は、出隅支持部材４１の立ち上がり部４３の第２面４３ｂに当接される鉛直当たり部４６ａと、ベース部４２に当接される水平当たり部４６ｂと、腰壁部１２Ａの繋ぎプレート３３の上面に当接されるプレート当たり部４６ｃと、プレート当たり部４６ｃに連続して設けられ、鉛直方向に折り曲げられることでバルコニー外壁材２１Ｂの外壁面側に垂れ下がる垂れ下がり部４６ｄと、バルコニー外壁材２１Ｂの横隣りとなる外壁材２４の端面に対向するように設けられる対向部４６ｅとを有している。
【００４１】
さらに、図８（ｃ）に示すように、第３止水役物４７は、出隅支持部材４１の立ち上がり部４３の第１面４３ａ、第２面４３ｂの両方に当接される鉛直当たり部４７ａと、ベース部４２に当接される水平当たり部４７ｂと、バルコニー外壁材２１Ａの中空部３１ａ（切り込み溝３１ｅを含む）に挿し入れられる挿し入れ部４７ｃと、腰壁部１２Ａの繋ぎプレート３３の上面に当接されるプレート当たり部４７ｄとを有している。ここで、鉛直当たり部４７ａは、出隅部１５の出隅頂部から２つの壁面に沿って延びる方向と同じ２方向に延びる止水板部に相当し、そのうち一方の面側（第１外壁面Ｘ１側）に挿し入れ部４７ｃが設けられ、他方の面側（第２外壁面Ｘ２側）にプレート当たり部４７ｄが設けられている。
【００４２】
第３止水役物４７において、挿し入れ部４７ｃは鉛直方向に延びる鉛直板部、プレート当たり部４７ｄは水平方向に延びる水平板部であり、挿し入れ部４７ｃは、プレート当たり部４７ｄの下側まで延び、そのプレート当たり部４７ｄに一体に連続して形成されている。換言すれば、挿し入れ部４７ｃとプレート当たり部４７ｄとは、バルコニー外壁材２１Ａの中空部３１ａに沿う位置において折れ曲がった状態で一体に形成されている。
【００４３】
そして、こうした構成の止水役物４５〜４７が、図６、図７に示すように取り付けられている。このとき、壁外側のバルコニー外壁材２１Ａにおいては、止水役物４５，４７の挿し入れ部４５ｃ，４７ｃが中空部３１ａ（切り込み溝３１ｅを含む）に挿し入れられている。また、止水役物４６，４７のプレート当たり部４６ｃ，４７ｄが繋ぎプレート３３の上面に当接するようになっている。壁内側のバルコニー外壁材２１Ｂにおいては、第２止水役物４６の垂れ下がり部４６ｄが外壁面に沿って折り曲げられて設けられ、その外壁面に対して貼り付けられている。各止水役物４５〜４７は、互いに重ね合わせられないようにして（すなわち互いに離間させて）配置される。また、各止水役物４５〜４７は、接着剤や接着テープを用いて出隅支持部材４１に対して適宜貼り付けられているとよい。
【００４４】
さらに、各止水役物４５〜４７が取り付けられた状態で、図９に示すように、止水役物同士の境界部分にジョイントシート５１，５２が貼り付けられる。ジョイントシート５１，５２は、片面接着タイプの帯状の防水粘着シートであり、止水役物４５，４７の境界部、止水役物４６，４７の境界部にそれぞれ貼着される。つまり、ジョイントシート５１，５２は、隣り合う各止水役物４５〜４７に跨るようにして貼り付けられている。
【００４５】
そして、図９、図１０に示すように、出隅外壁材２２が取り付けられる。このとき、出隅外壁材２２の背面を各止水役物４５〜４７に当接させた状態で、図示しない取付金具とボルト等の固定具とを用いて、出隅支持部材４１に対して出隅外壁材２２が固定される。出隅外壁材２２の取り付けにより、各止水役物４５〜４７が出隅外壁材２２の背面から下方又は側方に延出する状態となる。なお、取付金具と固定具とによる出隅外壁材２２の固定手法は、図３に示す取付金具２８と固定具２９とによるバルコニー外壁材２１の固定手法と同じものであればよい。
【００４６】
出隅外壁材２２の取り付け後には、繋ぎプレート３３の上に防水シート５３が取り付けられる。防水シート５３は、腰壁部１２Ａの上端部の全体の防水を図るものであり、バルコニー外壁材２１Ａ，２１Ｂの一方の外壁面から他方の外壁面までの範囲に被せて取り付けられている。そして、さらにその上に笠木部材３４が取り付けられることで、腰壁部１２Ａができ上がる。
【００４７】
図１１は、図１０のＡ−Ａ線断面図であって、出隅外壁材２２とバルコニー外壁材２１Ａとが上下に並ぶ部位の止水構造を示すものである。
【００４８】
図１１において、出隅外壁材２２とバルコニー外壁材２１Ａとの間の横目地５５には、湿式の止水部材よりなる一次止水材５６（コーキング材による不定形シール）と、バルコニー外壁材２１Ａの中空部３１ａに挿し入れ部４７ｃが挿し入れられた状態で取り付けられている第３止水役物４７と、一次止水材５６と第３止水役物４７との間に設けられる一次バッカー５７とが設けられている。この場合、第３止水役物４７は、出隅外壁材２２の中空部３１ａ内を流下する雨水等が、上下の外壁材２２，２１Ａにおける内側壁肉部３１ｃの間を通じてバルコニー外壁材２１Ａの背面側に浸入することを防止する役目を有する。また、一次バッカー５７は、第３止水役物４７に当接する当接面側に凹凸が形成されて波形状となっており（図示は略す）、その凹み部を通じて、出隅外壁材２２の中空部３１ａ内を流下する雨水等をバルコニー外壁材２１Ａの中空部３１ａ内に案内する役目を有するものである。
【００４９】
以上詳述した本実施形態によれば、以下の優れた効果が得られる。
【００５０】
上記構成の建物１０では、建物外壁の出隅部１５の下方に腰壁部１２Ａを設け、出隅外壁材２２の下端部に形成される横目地部分に出隅止水部材としての第３止水役物４７を設けている。この場合、仮に出隅外壁材２２の中空部３１ａを通じて雨水等が流下してきても、第３止水役物４７の挿し入れ部４７ｃにより、雨水等がバルコニー外壁材２１Ａの背面側（すなわちフレーム側）に流れ出ることを抑制できる。またこれに加えて、第３止水役物４７のプレート当たり部４７ｄが腰壁フレーム２３の上板部（繋ぎプレート３３）に当接していることにより、腰壁フレーム２３の上方からの壁内部への雨水等の浸入を抑制できる。その結果、出隅部１５と腰壁部１２Ａとを組み合わせて構成され、中空構造の外壁材が用いられる建物外壁において、適正な止水性能を付与することができる。
【００５１】
腰壁部１２Ａとして互いに離間して設けられる一対のバルコニー外壁材２１を有する構成では、その構造上、一対のバルコニー外壁材２１を上方で繋ぎプレート３３により連結させる（頭繋ぎをする）ことが望ましい。かかる構成において、繋ぎプレート３３は一対のバルコニー外壁材２１を跨ぐようにして設けられるため、腰壁フレーム２３における止水を行う上で、繋ぎプレート３３の上面に第３止水役物４７のプレート当たり部４７ｄを当接させることは好適であると言える。
【００５２】
第３止水役物４７において、挿し入れ部４７ｃを、プレート当たり部４７ｄの下側まで延ばし、そのプレート当たり部４７ｄに一体に連続して形成した。これにより、出隅外壁材２２の下側における止水を出隅頂部で途切れさせることなく実施できる。
【００５３】
腰壁部１２Ａは、建物の規模等に応じて大きさの変更が適宜行われることが想定され、その変更が行われると、出隅外壁材２２の下端部に形成される横目地部分の長さが変更される。例えば、腰壁部１２Ａの壁厚さが変更される場合には、腰壁フレーム２３の幅が変更されることで、横目地部分の長さが変更される。かかる場合において、上記のとおり、出隅外壁材２２の下端部に形成される横目地部分に、第３止水役物４７とそれ以外の第１，第２止水役物４５，４６とを互いに分割して取り付ける構成にすれば、仮に腰壁部１２Ａの大きさが変更されたとしても、各止水役物４５〜４７のうち第１，第２止水役物４５，４６（出隅止水部材以外の止水部材）について長さ変更をすれば対処でき、その対応が容易となる。つまり、第３止水役物４７は、出隅形状に対応させることで形状が複雑化されるが、それ以外に直線部分用の止水役物４５，４６を組み合わせて用いることで、第３止水役物４７として１種類のものを用意しておけばよいことになり、コスト低減等の効果が得られるものとなる。
【００５４】
また、第１，第２止水役物４５，４６が、横隣りとなる外壁材２４に対向する対向部４５ｄ，４６ｅを有するものである場合、これら止水役物４５，４６についても形状の複雑化が生じるが、３つの止水役物４５〜４７に分割して構成することで、一連の止水構造を構築する上で、実現の容易化を図ることができる。
【００５５】
各止水役物４５〜４７の境界部に、防水性を有するジョイントシート５１，５２を貼り付ける構成にしたため、各止水役物４５〜４７が互いに分割されて設けられる構成において、各止水役物４５〜４７の境界部の止水を好適に実施できる。
【００５６】
バルコニー１１にはその床部（すなわち腰壁部１２Ａの内側）に排水口が設けられており、壁内部に入り込んだ雨水等が壁内側のバルコニー外壁材２１Ｂの側に流れる場合、その外壁面に沿って折り曲げられた第２止水役物４６を伝って、壁内側の壁面（壁表面）に沿って流下する。これにより、バルコニー１１に設けられた排水口を利用して雨水等の排出を好適に実施できる。
【００５７】
腰壁部１２Ａにおいて、一対のバルコニー外壁材２１及び腰壁フレーム２３を上方から覆うようにして防水シート５３を設けたため、腰壁部１２Ａとしての止水性能を高めることができる。
【００５８】
［他の実施形態］
本発明は上記実施形態の記載内容に限定されず、例えば次のように実施されてもよい。
【００５９】
・上記実施形態では、出隅外壁材２２の下端部に沿って形成される横目地部分に、出隅止水部材である第３止水役物４７と、別の止水部材である第１，第２止水役物４５，４６とからなる３つの止水部材を設ける構成としたが、この構成を変更してもよい。例えば、各止水役物４５〜４７を全て一体物として形成する構成、止水役物４５及び４７を一体物として形成する構成、止水役物４６及び４７を一体物として形成する構成であってもよい。
【００６０】
・張出壁部は、バルコニー１１の腰壁部１２Ａ以外に、平屋根に設けられるパラペット部や、建物本体の出隅部から張り出した袖壁部であってもよい。
【００６１】
・上記実施形態では、鉄骨軸組工法により構築される建物について説明したが、これに限定されず、他の工法の建物にも適用できる。例えば、鉄骨ラーメン工法で構築されたユニット式建物にも適用できる。
【符号の説明】
【００６２】
１０…建物、１２Ａ…腰壁部（張出壁部）、１５…出隅部、２１Ａ，２１Ｂ…バルコニー外壁材（張出外壁材）、２２…出隅外壁材、２３…腰壁フレーム（フレーム部材）、３１ａ…中空部、３３…繋ぎプレート（連結プレート）、４５，４６…止水部材（別の止水部材）、４７…止水役物（出隅止水部材）、４７ｃ…挿し入れ部、４７ｄ…プレート当たり部（当接部）、５１，５２…ジョイントシート、５３…防水シート。
【図１】
2015094158.tif 000003
【図２】
2015094158.tif 000004
【図３】
2015094158.tif 000005
【図４】
2015094158.tif 000006
【図５】
2015094158.tif 000007
【図６】
2015094158.tif 000008
【図７】
2015094158.tif 000009
【図８】
2015094158.tif 000010
【図９】
2015094158.tif 000011
【図１０】
2015094158.tif 000012
【図１１】
2015094158.tif 000013